(57)【要約】      （修正有）【課題】衛生効果を備える金属シンク継ぎ目無しの排水接続構造を提供する。【解決手段】金属シンク継ぎ目無しの排水接続構造であり、金属シンク１０を設置して使用する際、排水口２０とする排水端の排水管４０或いは流し台トラップを、一つの螺合カバー６０の内縁にある雌ねじ６１を通じて、接続スリーブ３０の雄ねじ３１と螺合固定することで、排水管４０或いは流し台トラップが、排水口２０のフレームリング２１との接続を完成する。或いは、内部に雌ねじ６１を具有する流し台トラップを直接接続スリーブ３０の雄ねじ３１に螺合して固定し、排水口２０のフレームリング２１と接続する。排水口２０全体の構造は、排水管４０或いは流し台トラップとフレームリング２１を接続しやすいほか、排水口２０のフレームリング２１を介し、金属シンク１０のシンク底１１から外向けに延伸して、完全なるフレーム本体を形成することで、排水口２０の排水端が継ぎ目無しに排水管４０或いは流し台トラップと接続する。【選択図】図３
0003208472.tif 000002
【実用新案登録請求の範囲】
【請求項１】
一種の金属シンク継ぎ目無しの排水接続構造であり、
一つの金属シンクのシンク底に一つの排水口を設け、該排水口は該シンク底の槽の壁から外向きに一つのフレームリングを延伸成型し、該フレームリングの外回りに、一つの接続スリーブを套接固定し、該接続スリーブの外縁に、一つの雄ねじを形成することを特徴とする金属シンク継ぎ目無しの排水接続構造。
【請求項２】
前記該接続スリーブの雄ねじに内縁に一つの雌ねじを具有する螺合カバーと螺合固定し、該螺合カバーにより、排水管を該排水口のフレームリングと接続することを特徴とする請求項１記載の金属シンク継ぎ目無しの排水接続構造。
【請求項３】
前記該接続スリーブの雄ねじに内縁に一つの雌ねじを具有する螺合カバーと螺合固定し、該螺合カバーにより、一つの流し台トラップを該排水口のフレームリングと接続することを特徴とする請求項１記載の金属シンク継ぎ目無しの排水接続構造。
【請求項４】
前記該接続スリーブの雄ねじに内部に一つの雌ねじを具有する流し台トラップと螺合固定することで、該排水口のフレームリングは該流し台トラップと接続することを特徴とする請求項１記載の金属シンク継ぎ目無しの排水接続構造。
【請求項５】
前記該接続スリーブは該フレームリングの外回りの表面に被せて溶接固定することを特徴とする請求項１記載の金属シンク継ぎ目無しの排水接続構造。
【請求項６】
前記該フレームリング内に一つのフィルター部品を詰め、該フィルター部品の上にフィルター部を設け、及び一つの蓋凹部を形成し、該蓋凹部に該フィルター部を閉じる一つの流し台トラップ蓋を設けることを特徴とする請求項１記載の金属シンク継ぎ目無しの排水接続構造。
【考案の詳細な説明】
【技術分野】
【０００１】
本考案は一種の継ぎ目無しの排水管、或いは流し台トラップの構造に関し、特に一種の排水口を清潔に手入れすることができ、衛生効果を備える金属シンク継ぎ目無しの排水接続構造に関する。
【背景技術】
【０００２】
市販されている流し台のシンクは、使用に耐え、美観或いは掃除手入れがしやすいよう、ステンレス素材を使った金属シンクが多い。金属シンクをキッチンの皿、茶碗或いは果物野菜を洗う際に使用し、一般的に排水口に排水管を接続して廃水を排出する。排水管が詰まるのを避けるために、通常金属シンクの排水口の上に流し台トラップを接続し、且つ流し台トラップ内のフィルター部品のろ過穴或いは網で排水中の不純物をろ過する。金属シンクの製作は、コストを考慮し、通常は板金加工技術で成型する薄い殻(薄い壁)のシンク本体であり、シンク底の厚みが薄いため、排水口の排水端に排水管或いは流し台トラップを接続固定するのが難しい。
例えば流し台トラップの構造では、台湾の実用新案第Ｍ３８３５９３号「シンク水槽の流し台トラップの改良構造」は、流し台トラップは水槽の内部からシンク底の排水口から延びて出る。流し台トラップの設置縁によりシンク底の表面に止め、止水ガスケットと合わせてシンク底の端に、一つの固定リングを使って、流し台トラップの雄ねじと螺合固定することで、流し台トラップを排水口に固定する。
ただ、該止水ガスケットが大変薄い、或いは止水ガスケットと合わず、該設置縁とシンク底の間に、いずれも一つの隙間が生じる。その隙間は汚れが詰まる(カビて異臭が発生する)、掃除手入れがしにくく、シンクの美観と衛生面にも影響することを鑑みて、更なる改善が必要であった。
【先行技術文献】
【特許文献】
【０００３】
【特許文献１】台湾実用新案第Ｍ３８３５９３号公報
【特許文献２】特開２０１３−１０４２０２
【考案の概要】
【考案が解決しようとする課題】
【０００４】
前記公知構造の欠点を解決するため、本考案は金属シンク継ぎ目無しの排水接続構造を提供することを主な課題とする。
【課題を解決するための手段】
【０００５】
上述の目的を解決するために、本考案は金属シンク継ぎ目無しの排水接続構造を提供するものである。本考案の主な目的は、金属シンクのシンク底に一つの排水口を設ける。該排水口は該シンク底の槽の壁から外向きに一つのフレームリングを延伸成型する。該フレームリングの外回りに、一つの接続スリーブを套接固定し、該接続スリーブの外縁に、一つの雄ねじを形成する。
金属シンクを設置して使用する際、排水口とする排水端の排水管或いは流し台トラップは、一つの螺合カバーの内縁にある雌ねじを通じて、接続スリーブの雄ねじと螺合固定することで、排水管或いは流し台トラップが、排水口のフレームリングとの接続を完成する。或いは内部に雌ねじを具有する流し台トラップを直接接続スリーブの雄ねじに螺合して固定し、排水口のフレームリングと接続する。
排水口全体の構造は、排水管或いは流し台トラップとフレームリングを接続しやすいほか、排水口のフレームリングを介し、金属シンクのシンク底から外向けに延伸して、完全なるフレーム本体を形成することで、排水口の排水端が継ぎ目無しに排水管或いは流し台トラップと接続し、衛生効果に達する。
【０００６】
本考案の次の目的は、一種の金属シンク継ぎ目無しの排水接続構造を提供するものである。該接続スリーブは該フレームリングの外回りの表面に被せて溶接固定することで、接続スリーブが永久にしっかりとフレームリングと結合して離脱しない。
【０００７】
本考案の更に次の目的は、一種の金属シンク継ぎ目無しの排水接続構造を提供するものである。該フレームリング内に一つのフィルター部品を詰め、該フィルター部品の上にフィルター部を設け、及び一つの蓋凹部を形成し、該蓋凹部に該フィルター部を閉じる一つの流し台トラップ蓋を設ける。
金属シンク内に水を入れる際、流し台トラップ蓋により、金属シンク内の液体が排水口のフレームリングの一端より排出するのを阻止することができる。逆に、流し台トラップ蓋を開けると、金属シンク内の汚れた液体が排水口のフレームリングの一端より排出する過程において、フィルター部品のフィルター部を利用して排水する際にゴミをろ過する効果に達する。
【考案の効果】
【０００８】
本考案の構造により、排水口の排水端が継ぎ目無しに排水管或いは流し台トラップと接続し、掃除手入れがしやすく、衛生効果に達する。
【図面の簡単な説明】
【０００９】
【図１】本考案の構造分解立体図である。
【図２】本考案の組立構造断面図である。
【図３】本考案の排水管を接続する際の状態略図である。
【図４】本考案の流し台トラップを接続する際の状態略図である。
【図５】本考案のプラスティック射出成型の流し台トラップを接続する際の状態略図である。
【考案を実施するための形態】
【００１０】
以下、本考案の構造と特徴および効果を、最良実施例と図面を参照しながら詳細に説明する。
【００１１】
一種の金属シンク継ぎ目無しの排水接続構造である。
図１、図２に示すように、一つのステンレス金属シンク１０のシンク底１１に一つの排水口２０を設ける。該排水口２０は該シンク底１１の槽の壁から外向きに一つのフレームリング１３を延伸成型する。該フレームリング２１の外回りに、一つの接続スリーブ３０を套接固定し、該接続スリーブ３０の外縁に、一つの雄ねじ３１を形成する。図３及び図４に示すように、金属シンク１０を設置して使用する際、排水口２０とする排水端の排水管４０或いはステンレスの流し台トラップ５０Ａ(中に流し台バスケット５１及び底端に接続する一つの排水接続管５２を含む)は、一つの螺合カバー６０の内縁にある雌ねじ６１を通じて、接続スリーブ３０の雄ねじ３１と螺合固定することで、排水管４０或いは流し台トラップ５０Ａが、排水口２０のフレームリング２１との接続を完成する。
図５に示すように、或いは内部に雌ねじを具有するプラスティックの射出一体成型の流し台トラップ５０Ｂ(流し台バスケット５１及び底端から接続する一つの排水接続管５２を含む)を直接接続スリーブ３０の雄ねじ３１に螺合して固定し、排水口２０のフレームリング２１と接続する。
排水口２０全体の構造は、図３、図４及び図５に示すように、排水管４０或いは流し台トラップ５０、５０Ａとフレームリング２１を接続しやすいほか、排水口２０のフレームリング２１を介し、金属シンク１０のシンク底１１から外向けに延伸して、完全なるフレーム本体を形成することで、排水口２０の排水端が継ぎ目無しに排水管４０或いは流し台トラップ５０Ａ、５０Ｂと接続し、衛生且つ掃除手入れしやすい効果に達する。
【００１２】
上記実施例に基づき、図２に示すように、該接続スリーブ３０は該フレームリング１３の外回りの表面に被せて溶接固定することで、接続スリーブ３０が永久にしっかりとフレームリング１３と結合して離脱しない。
【００１３】
上記実施例に基づき、図１、図２に示すように、該フレームリング２１内に一つのフィルター部品７０を詰め、該フィルター部品７０の上にフィルター部７１を設け、及び一つの蓋凹部７２を形成し、該蓋凹部７２に該フィルター部７１を閉じる一つの流し台トラップ蓋７３を設ける。
図３、図４及び図５に示すように、金属シンク１０内に水を入れる際、流し台トラップ蓋７３により、金属シンク１０内の液体が排水口２０のフレームリング２１の一端より排出するのを阻止することができる。逆に、流し台トラップ蓋６０を開けると(図に未掲載)、金属シンク１０内の汚れた液体が排水口２０のフレームリング２１の一端より排出する過程において、フィルター部品７０のフィルター部７１を利用して排水する際にゴミをろ過する効果に達する。
【００１４】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１５】
１０  金属シンク
１１  シンク底
２０  排水口        
２１  フレームリング
３０  接続スリーブ
３１  雄ねじ
４０  排水管  
５０Ａ、５０Ｂ  流し台トラップ
５１  流し台バスケット
５２  排水接続管
６０  螺合カバー
６１  雌ねじ
７０  フィルター部品
７１  フィルター部
７２  蓋凹部
７３  流し台トラップ蓋
【図１】
0003208472.tif 000003
【図２】
0003208472.tif 000004
【図３】
0003208472.tif 000005
【図４】
0003208472.tif 000006
【図５】
0003208472.tif 000007